(57)【特許請求の範囲】
【請求項１】
洋風便器本体の背後に設けられ、カバーに隠蔽されて該洋風便器本体に種々の機能を付与可能な機能手段を備えた便座装置において、
前記カバーは、前記機能手段を隠蔽する主カバーと、該主カバーと一体的に固定可能であり、該機能手段の設定を変更するための設定部を隠蔽可能な副カバーとからなり、
前記機能手段を遠隔操作可能なリモコンを備え、
該主カバーは、該リモコンからの光信号を透過可能な透明板と、該透明板の裏面に固定され、該リモコンからの光信号を受信するリモコン受光部と、該透明板の側方に設けられた前記設定部とをもつセンサユニットが固定され、
該副カバーは、該主カバーとの合せ面に該センサユニットと整合するリモコン窓が形成されていることを特徴とする便座装置。
【発明の詳細な説明】
【０００１】
【発明の属する技術分野】
本発明は便座装置に関する。
【０００２】
【従来の技術】
従来、図８に示すように、陶磁器製の洋風便器本体９０の背後に設けられ、洋風便器本体９０に種々の機能を付与可能な図示しない機能手段を備えた便座装置９１が知られている。機能手段としては、洋風便器本体９０上で便座９０ａや便蓋９０ｂを自動的に開閉させる自動開閉装置、便座９０ａ上に着座した使用者の局部を洗浄可能な局部洗浄装置、洋風便器本体９０の便鉢内を脱臭する脱臭装置、便座９０ａを保温する便座保温装置等がある。これら機能手段はカバー９１ａによって隠蔽されている。
【０００３】
また、この便座装置９１は、上記機能手段を遠隔操作可能なリモコン９３と、図９に示すように、センサユニット９２とを備えている。センサユニット９２は、図１０に示すように、リモコン９３からの光信号を透過可能な透明板９２ｂと、透明板９２ｂの裏面に固定され、光信号を受信するリモコン受光部９２ａとを有している。なお、透明板９２ｂの裏面には、便座装置に電源が入っているか否か等を表示するためのＬＥＤ９２ｄがリモコン受光部９２ａに隣接して設けられている。図９及び図１０に示すように、カバー９１ａにはリモコン窓９１ｂが貫設されており、センサユニット９２のリモコン受光部９２ａ及びＬＥＤ９２ｄは透明板９２ｂを介してこのリモコン窓９１ｂによって露出されている。
【０００４】
便座装置９１を購入したり、設置したりする者の選択により、センサユニット９２が洋風便器本体９０の使用者を検知して機能手段を作動させるための人体検知センサ９２ｃを有する場合もある。この場合、センサユニット９２は、透明板９２ｂと、リモコン受光部９２ａと、ＬＥＤ９２ｄと、透明板９２ｂの裏面で選択によりリモコン受光部９２ａに隣接して固定される人体検知センサ９２ｃとを有している。カバー９１ａには、その人体検知センサ９２ｃを透明板９２ｂを介して露出する人体検知窓９１ｃがリモコン窓９１ｂに連続して貫設されている。
【０００５】
この便座装置９１では、使用者がリモコン９３を操作すれば、リモコン９３からの光信号がセンサユニット９２のリモコン受光部９２ａに受信され、局部洗浄装置等が遠隔操作される。また、使用者がリモコン９３を操作しなくても、使用者が洋風便器本体９０前に立てば、人体検知センサ９２ｃがその使用者を検知し、自動開閉装置や脱臭装置等が遠隔操作される。
【０００６】
また、この便座装置では、センサユニット９２に機能手段の設定を変更するための設定部が設けられており、その設定部も便座装置全体を覆うカバー９１ａに隠蔽されていた。このため、その便座装置の管理者又は所有者と実際の使用者とが異なる場合、すなわちその便座装置が不特定多数の使用者によって使用される例えばホテル等の公共施設に設けられるものである場合には、使用者が自由にその設定部に触れることがほとんど不可能であったことから、管理者又は所有者の行なった設定を使用者が勝手に変更するようなことを防止することができる。
【０００７】
【発明が解決しようとする課題】
しかし、上記従来の便座装置では、設定部が機能手段全体を覆うカバーに隠蔽されていたため、管理者又は所有者が使用者のために設定を変更しようとする場合、カバー全体を取り外してそれを行わなければならず、管理者又は所有者にとってはそれが面倒である。
【０００８】
この点、管理者又は所有者の便宜のみを考慮し、機能手段の設定部をカバーで覆わず、常に剥き出しにすることも考えられる。こうであれば、管理者又は所有者は、わざわざカバー全体を取り外さなくても設定を変更できるため、その設定変更を容易に行なうことができる。
【０００９】
しかしながら、設定部をカバーから剥き出しにするとすれば、不特定多数の使用者が勝手に設定を変更してしまう事態を生じてしまう。こうして、ある使用者によって勝手に設定が変更されてしまうと、他の使用者は管理者又は所有者が提供しようとする機能手段のうれしさを得られないこととなってしまう。
【００１０】
本発明は、上記従来の実情に鑑みてなされたものであって、管理者又は所有者の行なった設定を使用者が勝手に変更するようなことを防止しつつ、管理者又は所有者にとっては設定の変更が従来よりも容易な便座装置を提供することを解決すべき課題としている。
【００１１】
【課題を解決するための手段】
本発明の便座装置では、洋風便器本体の背後に設けられ、カバーに隠蔽されて該洋風便器本体に種々の機能を付与可能な機能手段を備えた便座装置において、
前記カバーは、前記機能手段を隠蔽する主カバーと、該主カバーと一体的に固定可能であり、該機能手段の設定を変更するための設定部を隠蔽可能な副カバーとからなり、
前記機能手段を遠隔操作可能なリモコンを備え、
該主カバーは、該リモコンからの光信号を透過可能な透明板と、該透明板の裏面に固定され、該リモコンからの光信号を受信するリモコン受光部と、該透明板の側方に設けられた前記設定部とをもつセンサユニットが固定され、
該副カバーは、該主カバーとの合せ面に該センサユニットと整合するリモコン窓が形成されていることを特徴とする。
【００１２】
本発明の便座装置では、主カバーと一体的に固定される副カバーによって機能手段の設定を変更するための設定部が隠蔽されている。このため、この便座装置の管理者又は所有者と実際の使用者とが異なる場合であっても、使用者は自由にその設定部に触れることがほとんど不可能であり、管理者又は所有者の行なった設定を使用者が勝手に変更するようなことを防止することができる。このため、ある使用者が使用した後、他の使用者は管理者や所有者が提供しようとする機能手段のうれしさを確実に得ることができる。
【００１３】
また、管理者又は所有者は、カバー全体を取り外すことなく、副カバーのみを取り外すことによって設定部を剥き出しにすることができる。このため、管理者又は所有者は機能手段の設定を従来よりも容易に変更することができる。
【００１４】
したがって、本発明の便座装置では、管理者又は所有者の行なった設定を使用者が勝手に変更するようなことを防止しつつ、管理者又は所有者にとっては設定の変更が従来よりも容易である。
【００１５】
本発明の便座装置では、機能手段を遠隔操作可能なリモコンを備え、主カバーは、リモコンからの光信号を透過可能な透明板と、透明板の裏面に固定され、リモコンからの光信号を受信するリモコン受光部と、透明板の側方に設けられた設定部とをもつセンサユニットが固定され、副カバーは、主カバーとの合せ面にセンサユニットと整合するリモコン窓が形成されている。こうであれば、センサユニットにリモコン受光部や設定部を集約することができるため、リモコン受光部や設定部に接続されるハーネスを一ヶ所に集めることができる。このため、配線が複雑にならないとともに、便座装置のメンテナンスを容易に行うことができる。
【００１６】
【発明の実施の形態】
以下、本発明を具体化した実施形態１及び２を図面を参照しつつ説明する。
【００１７】
（実施形態１）
実施形態１の便座装置は、図１に示すように、陶磁器製の洋風便器本体１０の背後に設けられており、洋風便器本体１０に種々の機能を付与可能な図示しない機能手段を備えている。これら機能手段はカバー１１によって覆われている。また、この便座装置は、上記機能手段を遠隔操作可能なリモコンＲと、センサユニットＳＵとを備えている。機能手段の一部は、リモコンＲによって遠隔操作が可能となっている。こうして、洋風水洗式便器が構成されている。機能手段としては、使用者が洋風水洗式便器から離れることで洗浄水を自動的に吐水させることができる自動洗浄装置、局部洗浄装置、便座保温装置、使用者が洋風水洗式便器を使用しないときに局部洗浄装置や便座保温装置に供給される電力を自動的に節電する自動節電装置等がある。
【００１８】
カバー１１は、図２に示すように、上記機能手段を隠蔽する主カバー１１ａと、その主カバー１１ａから取り外し可能に一体的に固定された副カバー１１ｂとからなる。副カバー１１ｂにおける主カバー１１ａとの合せ面にはリモコン窓１１ｃが形成されている。主カバー１１ａにはこのリモコン窓１１ｃと整合するセンサユニットＳＵが固定されている。
【００１９】
センサユニットＳＵは、リモコン窓１１ｃから露出される透明板１２を有している。図３に示すように、透明板１２の裏面には、リモコンＲからの光信号を受信するリモコン受光部１３とＬＥＤ１４とが固定されている。また、図２及び図４に示すように、透明板１２の側方には機能手段の設定を変更するための設定部１５が設けられている。その設定部１５には、自動洗浄装置の設定を変更するノンタッチ洗浄スイッチ１５ａや自動節電装置の設定を変更する電源／節電スイッチ１５ｂが備えられている。さらに、図５に示すように、透明板１２の表面では、ＬＥＤ１４の発光によってノンタッチ洗浄スイッチ１５ａや電源／節電スイッチ１５ｂの設定状態が表示可能となっている。また、リモコン受光部１３、ＬＥＤ１４及び設定部１５には、図示しないハーネスが接続されている。こうして、透明板１２、リモコン受光部１３、ＬＥＤ１４及び設定部１５によってセンサユニットＳＵが構成されており、図２に示すように、設定部１５は副カバー１１ｂによって隠蔽されている。
【００２０】
以上のように構成された便座装置は、管理者又は所有者と実際の使用者とが異なる施設、すなわちその便座装置が不特定多数の使用者によって使用される例えばホテル等の公共施設に設けられる。この便座装置では、管理者又は所有者が副カバー１１ｂを取り除かなければ、図４に示す設定部１５のノンタッチ洗浄スイッチ１５ａや電源／節電スイッチ１５ｂを剥き出しにすることができない。このため、不特定多数の使用者は自動洗浄装置や自動節電装置の設定を勝手に変更することができない。このため、ある使用者が使用した後、他の使用者は、洋風水洗式便器から離れることで洗浄水が自動的に吐水されたり、局部洗浄装置や便座保温装置に供給される電力が自動的に節電されたりする便座装置を確実に利用することができる。
【００２１】
また、この便座装置では、副カバー１１ｂのみを取り外すことによって設定部１５を剥き出しにすることができるため、カバー１１全体を取り外す必要がない。このため、便座装置の管理者又は所有者は、副カバー１１ｂのみを取り外し、設定部１５のノンタッチ洗浄スイッチ１５ａや電源／節電スイッチ１５ｂを押すことによって、自動洗浄装置や自動節電装置の設定を従来よりも容易に変更することができる。
【００２２】
したがって、この便座装置では、管理者又は所有者の行なった自動洗浄装置や自動節電装置の設定を使用者が勝手に変更することを防止できるとともに、管理者又は所有者は自動洗浄装置や自動節電装置の設定変更が容易である。
【００２３】
また、この便座装置では、副カバー１１ｂに隠蔽されたセンサユニットＳＵにリモコン受光部１３、ＬＥＤ１４及び設定部１５を集約しているため、リモコン受光部１３等に接続されるハーネスを一ヶ所に集めることができる。このため、配線が複雑にならないとともに、便座装置のメンテナンスを容易に行うことができる。
【００２４】
（実施形態２）
実施形態２の便座装置では、図６に示すように、透明板１２の側方には機能手段の設定部１５が設けられている。その設定部１５には、自動洗浄装置の設定を変更するノンタッチ洗浄スイッチ１５ａや便座保温調節装置の設定を変更する便座温度スイッチ１５ｃが備えられている。さらに、図７に示すように、透明板１２の表面では、ＬＥＤ１４の発光によってノンタッチ洗浄スイッチ１５ａや便座温度１５ｃの設定状態が表示可能となっている。主カバー１１ａ内には、使用者が洋風水洗式便器を使用するときに便座の温度を自動的に調節する便座保温調節装置が隠蔽されている。他の構成は実施形態１と同様である。
【００２５】
以上のように構成された便座装置では、管理者又は所有者が副カバー１１ｂを取り除かなければ、図６に示す設定部１５のノンタッチ洗浄スイッチ１５ａや便座温度スイッチ１５ｃを剥き出しにすることができない。このため、不特定多数の使用者は便座保温調節装置の設定を勝手に変更することができない。他の作用効果は実施形態１と同様である。
【図面の簡単な説明】
【図１】実施形態１の洋風水洗式便器の全体斜視図である。
【図２】実施形態１の便座装置の一部分解斜視図である。
【図３】実施形態１の便座装置の断面図である。
【図４】実施形態１の設定部の拡大図である。
【図５】実施形態１のセンサユニットの正面拡大図である。
【図６】実施形態２の設定部の拡大図である。
【図７】実施形態２のセンサユニットの正面拡大図である。
【図８】従来の洋風水洗式便器の全体斜視図である。
【図９】従来の便座装置の一部斜視図である。
【図１０】従来の便座装置の断面図である。
【符号の説明】
１０…洋風便器本体
１１…カバー（１１ａ…主カバー、１１ｂ…副カバー）
１５…設定部
Ｒ…リモコン
１４…リモコン受光部
ＳＵ…センサユニット
【図１】
0003861994.tif 000002
【図２】
0003861994.tif 000003
【図３】
0003861994.tif 000004
【図４】
0003861994.tif 000005
【図５】
0003861994.tif 000006
【図６】
0003861994.tif 000007
【図７】
0003861994.tif 000008
【図８】
0003861994.tif 000009
【図９】
0003861994.tif 000010
【図１０】
0003861994.tif 000011